(57)【要約】      （修正有） 【課題】複数の使用態様を可能とする筆記具ケースを提供する。【解決手段】２枚の全体平面略方形状の表皮材１１、１２が厚さ方向に重ねて配置され、その間に単一の収納部１３が形成される筆記具ケース１０であって、互いに隣接する辺部１１ａ、１２ａには、夫々収納部１３の開口部２０、２１が別個に設けられており、互いに厚さ方向反対側に向かって開閉し、開口部２０、２１を開閉可能に被覆しうる蓋部１５、１７が夫々設けられている。【選択図】図２
0003220272.tif 000002
【実用新案登録請求の範囲】
【請求項１】
２枚の全体平面略方形状の表皮材が厚さ方向に重ねて配置され、その間に単一の収納部が形成される筆記具ケースであって、互いに隣接する辺部には、夫々前記収納部の開口部が別個に形成されており、互いに厚さ方向反対側に向かって開閉し、前記開口部を開閉可能に被覆しうる蓋部が夫々設けられていることを特徴とする筆記具ケース。
【請求項２】
全体長方形状に形成され、第一の表皮材は不透明に形成されていると共に第二の表皮材は透明に形成されていることを特徴とする請求項１記載の筆記具ケース。
【請求項３】
前記収納部は、長方形状の第一の表皮材と、前記第一の表皮材の幅方寸法よりも小さな幅寸法に形成されると共に、前記第一の表皮材の長さ寸法よりも大きな長さ寸法に形成され、前記の第一の表皮材上に配置固定される第二の表皮材とにより構成され、
前記第二の表皮材に対する前記第一の表皮材の幅方向延出部により長さ方向の前記蓋部が形成されると共に、前記第一の表皮材に対する前記第二の表皮材の長さ方向延出部により幅方向の前記蓋部が形成されることを特徴とする請求項２記載の筆記具ケース。
【請求項４】
前記第一の表皮材の幅方向延出部の幅方向における反対側の辺部及び前記第二の表皮材の長さ方向延出部の長さ方向における反対側の辺部は、夫々、固定されていることを特徴とする請求項３記載の筆記具ケース。
【考案の詳細な説明】
【技術分野】
【０００１】
本考案は、筆記具ケースに係り、特に、複数の使用態様を可能とする筆記具ケースに関する。
【背景技術】
【０００２】
一般に、ボールペン、シャープペン等を収納する筆記具ケースは、合成皮革又は革製の略直方体等に形成され、内部の収納部を開閉する単一の開口部を有している（特許文献１参照）。
【０００３】
しかしながら、このような従来からの筆記具ケースにあっては、その筆記具ケースの形態により決定された一つの使用形態のみでしか使用できず、使用の際の興趣に欠ける場合がある、という事情があった。
【先行技術文献】
【特許文献】
【０００４】
【特許文献１】実公昭５４−４０１１６号公報
【考案の概要】
【考案が解決しようとする課題】
【０００５】
本考案はこのような不具合を解決するためのものであって、その課題は、複数の使用態様を可能とする筆記具ケースを提供することにある。
【課題を解決するための手段】
【０００６】
上記課題達成のため、請求項１記載の考案にあっては、２枚の全体平面略方形状の表皮材が厚さ方向に重ねて配置され、その間に単一の収納部が形成される筆記具ケースであって、互いに隣接する辺部には、夫々前記収納部の開口部が別個に設けられており、互いに厚さ方向反対側に向かって開閉し、前記開口部を開閉可能に被覆しうる蓋部が夫々設けられていることを特徴とする。
従って、本件考案に係る筆記具ケースにあっては、隣接した辺部には、前記収納部へ連通する開口部が夫々設けられており、夫々の開口部の蓋部を開放することにより前記収納部へ筆記具等を収納することができる。
【０００７】
請求項２記載の考案にあっては、全体長方形状に形成され、第一の表皮材は不透明に形成されていると共に第二の表皮材は透明に形成されていることを特徴とする。
従って、本考案に係る筆記具ケースにあっては、第二の表皮材を通しては収納部内を視認することができるが、第一の表皮材を通しては収納部内を視認することはできない。
【０００８】
請求項３記載の考案にあっては、前記収納部は、長方形状の第一の表皮材と、前記第一の表皮材の幅方寸法よりも小さな幅寸法に形成されると共に、前記第一の表皮材の長さ寸法よりも大きな長さ寸法に形成され、前記の第一の表皮材上に配置固定される第二の表皮材とにより構成され、前記第二の表皮材に対する前記第一の表皮材の幅方向延出部により長さ方向の前記蓋部が形成されると共に、前記第一の表皮材に対する前記第二の表皮材の長さ方向延出部により幅方向の前記蓋部が形成されることを特徴とする。
従って、本件考案に係る筆記具ケースは、２枚の大きさの異なる表皮材により形成され、蓋部は夫々２枚の表皮材により形成されている。
【０００９】
請求項４記載の考案にあっては、前記第一の表皮材の幅方向延出部の幅方向における反対側の辺部及び前記第二の表皮材の長さ方向延出部の長さ方向における反対側の辺部は、夫々、第二表皮材及び第一表皮材に全域に亘って固定されていることを特徴とする。
従って、本考案に係る筆記具ケースは、互いに隣接する一方の辺部は固定されていると共に、互いに隣接する他方の辺部は開口部を形成している。
【考案の効果】
【００１０】
請求項１記載の考案にあっては、２枚の全体平面略方形状の表皮材が厚さ方向に重ねて配置され、その間に単一の収納部が形成される筆記具ケースであって、互いに隣接する辺部には、夫々前記収納部の開口部が別個に設けられており、互いに厚さ方向反対側に向かって開閉し、前記開口部を開閉可能に被覆しうる蓋部が夫々設けられており、隣接した辺部には、前記収納部へ連通する開口部が夫々設けられていることから夫々の開口部から前記収納部へ筆記具等を収納することができる。
【００１１】
従って、従来とは異なり、複数の開口部が設けられていると共に前記複数の開口部には夫々蓋部が設けられており、夫々の蓋部は互いに厚さ方向反対側、即ち、表方向と裏方向とに開くことができ、前記蓋部を開いて開口部から共通の収納部へ収納物を収納することができるため、筆記具ケースの両側面部を、裏返すことにより、夫々、表側として使用することが可能となる。
その結果、同一の物品であっても異なった使用の態様を形成することができるため、状況に応じて興趣に富んだ使用の仕方を確保することができる。
【００１２】
請求項２記載の考案にあっては、全体長方形状に形成され、第一の表皮材は不透明に形成されていると共に第二の表皮材は透明に形成されていることから、第二の表皮材を通しては収納部内を視認することができるが、第一の表皮材を通しては収納部内を視認することはできないため、収納部内に収納した筆記具等を他人に見せたくないような場合には、裏返して第一の表皮材を上方に配置することにより、迅速に収納物を見えない状態にして使用することができる。  
【００１３】
請求項３記載の考案にあっては、前記収納部は、長方形状の第一の表皮材と、前記第一の表皮材の幅方寸法よりも小さな幅寸法に形成されると共に、前記第一の表皮材の長さ寸法よりも大きな長さ寸法に形成され、前記の第一の表皮材上に配置固定される第二の表皮材とにより構成され、前記第二の表皮材に対する前記第一の表皮材の幅方向延出部により長さ方向の前記蓋部が形成されると共に、前記第一の表皮材に対する前記第二の表皮材の長さ方向延出部により幅方向の前記蓋部が形成され、蓋部は夫々２枚の表皮材により形成されていることから、別途、蓋部材を取り付けることが不要であって、製作効率の良好な筆記具ケースを提供することができる。
【００１４】
請求項４記載の考案にあっては、前記第一の表皮材の幅方向延出部の幅方向における反対の辺部及び前記第二の表皮材の長さ方向延出部の長さ方向における反対の辺部は、夫々、第二表皮材及び第一表皮材に全域に亘って固定されており、互いに隣接する一方の辺部は固定されていると共に、互いに隣接する他方の辺部は開口部を形成していることから、第一表皮材及び第二表皮材の互いに隣接する辺部及び前記閉じられた一方の蓋部とにより収納部が形成され、他方の蓋部を開放することにより筆記具を出し入れすることができる。
【図面の簡単な説明】
【００１５】
【図１】本考案に係る筆記具ケースの一実施の形態を示す斜視図である。
【図２】本考案に係る筆記具ケースの一実施の形態を示し、蓋部を開放した状態を示す斜視図である。
【図３】本考案に係る筆記具ケースを示す平面図であって横長方向に使用し、透明な表皮材を上方にして使用している状態を示す図である。
【図４】本考案に係る筆記具ケースを示す平面図であって縦長方向に使用し、不透明な表皮材を上方にして使用している状態を示す図である。
【考案を実施するための最良の形態】
【００１６】
以下、添付図面に示す実施の形態に基づき、本考案を詳細に説明する。
図１及び図２に示すように、本実施の形態に係る筆記具ケース１０は、２枚の全体平面長方形状の表皮材１１、１２が厚さ方向に重ねて配置され、その間に単一の収納部１３が形成されている。
本実施の形態にあっては、第一の表皮材１１は着色されて不透明に形成されていると共に第二の表皮材１２は透明に形成され、互いに隣接する辺部１１ａ、１２ａには、夫々前記収納部１３の開口部２０、２１が別個に設けられている。
従って、図２に示すように、開口部２０、２１の双方から収納部１３内に筆記具等を収納することはでき、また、第二の表皮材１２側からは収納部１３内を視認することは可能であるが、第一の表皮材１１側から収納部１３内を視認することはできないように構成されている。
【００１７】
図２に示すように、第一の表皮材１１及び第二の表皮材１２はいずれも長方形状に形成され、第二の表皮材１２は、第一の表皮材１１の幅方寸法よりも小さな幅寸法に形成されると共に、前記第一の表皮材１１の長さ寸法よりも大きな長さ寸法に形成されており、全体として細長長方形状である。
【００１８】
第二の表皮材１２に対する前記第一の表皮材１１の幅方向延出部１４により長さ方向の前記蓋部１５が形成されると共に、第一の表皮材１１に対する第二の表皮材１２の長さ方向延出部１６により幅方向の蓋部１７が形成されている。
蓋部１５、１７には、夫々、係止具としてのホック１８、１９が設けられており、蓋部１５、１７を第一の表皮材１１及び第二の表皮材１２に固定できるように構成されている。
従って、図２中、矢印Ａ、Ｂ方向に蓋部１５、１７を、夫々、表側及び裏側に折り返すことにより、図１に示すような開口部２０、２１を閉止した状態にすることができる。
【００１９】
また、第一の表皮材１１の幅方向延出部１４の幅方向における反対側の辺部１１ｂ及び第二の表皮材１２の長さ方向延出部１６の長さ方向における反対側の辺部１２ｂは、夫々、破線２２に示すように縫合固定されている。
【００２０】
従って、本実施の形態にあっては、第一の表皮材１１の幅方向延出部１４を第二の表皮材１２の表面側へ矢印Ａ方向へ折り返すことにより幅方向の蓋部１５が形成され、第二の表皮材１２の長さ方向延出部１６を第一の表皮材１１の裏面側に矢印Ｂ方向へ折り返すことにより長さ方向の蓋部１７が形成されている。
【００２１】
蓋部１５，１７は、夫々、独立に開閉することができる。従って、蓋部１７を閉じた状態のままで蓋部１５をホック１８を解除して解放した場合には、開口部２０を開放することができる。
この場合には、第一の表皮材１１の辺部１１ｂ及び第二の表皮材１２の辺部１２ｂ及びホック１８により第一の表皮材１１の裏面側に係止固定された蓋部１７により収納部１３が形成されており、長さ寸法の大きな蓋部１５により大きな開口部２０を開放して、図３に示すように、筆記具２３等を径方向に沿って収納して使用することができる（以下、「第一の使用態様」と称する）。
【００２２】
また、蓋部１５を閉じた状態のままで蓋部１７をホック１９を解除して解放した場合には、開口部２１を開放することができる。この場合には、第一の表皮材１１の辺部１１ｂ及び第二の表皮材１２の辺部１２ｂ及びホック１８により第二の表皮材１２の表面側に係止固定された蓋部１５により収納部１３が形成されており、幅寸法の小さな蓋部１７により小さな開口部２１を開放して、図３に示すように、筆記具２３等を軸方向に沿って収納して使用することができる（以下、「第二の使用態様」と称する）。
【００２３】
その結果、本実施の形態に係る筆記具ケース１０にあっては、第一の使用態様（図１に示す状態）及び第二の使用態様（図４に示す状態）の双方の使い方ができることから、ユーザーは状況に応じて興趣に富んだ使用方法を楽しめる。
【００２４】
また、本実施の形態にあっては、第一の表皮材１１は着色された不透明な素材により形成されていると共に第二の表皮材１２は透明な素材により形成されていることから、第一の使用態様の場合で第二の表皮材１２を上方にして机等に置いておいた場合で、図３に示すように、他人に収納部１３内を見られたくないような非筆記具２４等を収納してあり、隠したい事情がおきた場合には、速やかに裏返して、図４に示すように、不透明な第一の表皮材１１を上方にした状態にすることができることから、収納部１３を外部から見えないように隠して状態で使用することができる。
【００２５】
即ち、従来、透明な表皮材を使用した筆記具ケースも存在しているが、このような透明な筆記具ケースは内部に収納した筆記具を確認できるため機能性が良好であると共に、斬新であって外観品質に富むものであるが、一方で、外部から視認されたくない物、例えば、お菓子等が収納されていた場合であって、状況に応じて隠したいような場合には、全て外部から収納部内部が視認されてしまうため、不都合な事態になる可能性があることから、従来より何らかの改善が要請されていたが、本実施の形態に係る筆記具ケース１０は、この要請に応えるものである。
【００２６】
また、第一の使用態様の場合には、横幅の大きな蓋部１５を有する横幅の大きな筆記具ケースとして置いて使用することができると共に、第二の使用態様の場合には、横幅の小さな蓋部１７を有する縦長の筆記具ケースとして使用することができ、その日の気分により２通りの使用態様を形成することができ、興趣に富んだ使用状態を楽しむことができる。
【００２７】
本実施の形態にあっては、第一の表皮材１１は不透明であると共に第二の表皮材１２は透明に形成されている場合を例に説明したが、本実施の形態に限定されず、第一の表皮材及び第二の表皮材の双方が不透明に形成されている場合であってもよい。また、第一の表皮材及び第二の表皮材に異なる色彩の着色を施してもよく、本実施の形態に限定されない。
【産業上の利用可能性】
【００２８】
本考案は筆記具ケースに係ることから、広く産業上の利用可能性を有している。
【符号の説明】
【００２９】
１０  筆記具ケース
１１  表皮材
１１ａ  辺部
１２  表皮材  
１２ａ  辺部
１３  収納部
１４  幅方向延出部
１５  蓋部
１６  長さ方向延出部
１７  蓋部
１８  ホック
１９  ホック
２０  開口部
２１  開口部
２２  破線
２３  筆記具
２４  非筆記具
Ａ    矢印
Ｂ    矢印
【図１】
0003220272.tif 000003
【図２】
0003220272.tif 000004
【図３】
0003220272.tif 000005
【図４】
0003220272.tif 000006